(57)【要約】【課題】人形１を構成している少なくとも頭部３の大量生産を可能とする。【解決手段】作製される人形１の具現化対象である人物やキャラクターの外形形状とは無関係な共通形状を有する頭芯体３ａに対して、具現化対象となっている人物やキャラクターに対応した固有の外形形状を有する顔面体３ｂ及び頭髪体３ｃをそれぞれ取り付けることによって、固有の人物やキャラクターを具現化した頭部３を完成することとし、人形１が具現化の対象とする人物やキャラクターにかかわらず、ほとんどの人物やキャラクターに対して頭芯体３ａが共通に使用されるように構成したもの。【選択図】図２
2009011458.tif 000002
【特許請求の範囲】
【請求項１】
人形の胴部に取り付けられるものであって、具現化すべき対象に関する少なくとも顔面及び頭髪に相当する固有の外形形状を備えた人形の頭部において、
内方部分を構成して前記固有の外形形状とは無関係な共通形状を有する頭芯体と、
前記顔面に対応した固有の外形形状を有して前記頭芯体の前面側を覆うように取り付けられた顔面体と、
前記頭髪に対応した固有の外形形状を有して前記頭芯体の上面側を覆うように取り付けられた頭髪体と、
を備えていることを特徴とする人形の頭部。
【請求項２】
前記頭芯体は、複数の分割片が接合されることにより構成されていることを特徴とする請求項１記載の人形の頭部。
【請求項３】
前記顔面体及び頭髪体の少なくとも一方が、前記頭芯体に対して着脱自在となるように構成されていることを特徴とする請求項１記載の人形の頭部。
【請求項４】
請求項１乃至請求項３のいずれかに記載の頭部が、胴部に取り付けられていることを特徴とする人形。
【請求項５】
具現化すべき対象に関する少なくとも顔面及び頭髪に相当する固有の外形形状を備えた人形の頭部を胴部に取り付けるようにした人形の製造方法において、
前記頭部の内方部分を構成して前記固有の外形状とは無関係な共通形状を有する頭芯体を予め準備しておき、
人形の顔面及び頭髪にそれぞれ対応した固有の外形形状を有する顔面体及び頭髪体を、前記頭芯体の前面側及び上面側の各々を覆うように取り付けるようにしたことを特徴とする人形の製造方法。
【発明の詳細な説明】
【技術分野】
【０００１】
本発明は、固有の外形形状を備えるように胴部の上部に頭部を取り付けるようにした人形の頭部及びそれを備えた人形、並びに人形の製造方法に関する。
【背景技術】
【０００２】
一般に、特定の人物やキャラクターなどを立体的に現す固有の外形形状にかたどった人形（ドール）が広く知られているが、通常の人形では、具現化すべき対象に関する少なくとも顔面及び頭髪に相当する頭部が胴部の上部に取り付けられた構造になされている。そして、それらの胴部と頭部とは一体的な構造又は別体の構造として成形されることとなるが、そのうちの頭部については、胴部と別体で形成される場合であっても、少なくとも頭部そのものについては全体が一体的に成形されることが常識になっている。
【０００３】
すなわち、一般的な人形では、顔面体や頭髪体等の各部からなる頭部の全体を一体的に形成することが通常行われている。そのように人形の頭部を一体的に成形する理由は、主として成形手段や成形方法によるものであるが、それに加えて、人形が単なる物ではなく固有の人物やキャラクターなどを具現化したものであるという特別な情緒性を有していることからも当然のこととなっている。
【０００４】
しかしながら、上述したように人形の頭部の全体を一体的に成形する場合には、成形された頭部の全体が、特定の名前や名称を有する人物やキャラクターに対応した固有のものとなることから、他の名前や名称を有する人物やキャラクターを対象とした人形については、異なる外形形状を有する頭部を別個に成形する必要がある。
【０００５】
従って、従来の人形では、固有の人物やキャラクター毎に別個の頭部を準備しなければならいことから、どうしても多種少量生産となってしまい、大量生産を行うことが難しいという問題がある。すなわち、人形の具現化対象である固有の人物やキャラクターを変更したい場合には、異なる外形形状を有する頭部を別個に製造しなくてはならず、急な変更要請に対して迅速に対応することができないという問題がある。
【０００６】
なお、下記の特許文献１及び特許文献２のように、顔面部分を交換可能に構成した人形や、目や鼻のような各部を交換可能に構成した人形も従来から提案されてはいるが、同一の人物やキャラクターの範囲内で頭部を構成する一部のパーツが交換可能とした構造に止まっている。つまり、交換可能に構成された各部のパーツが取り付けられる頭部の本体部分は、人形が具現化しようとする固有の人物やキャラクターに対応した外形形状を有していることから、他の人物やキャラクターに変更したい場合には、交換可能な各部のパーツの他に、頭部の本体部分を別個に製造しなくてはならない。従って、これらのものにおいても上述した一般的な人形と同様な問題がある。
【０００７】
【特許文献１】特開２００５−１１０８８９号公報
【特許文献２】特開２００７−１４６９３号公報
【発明の開示】
【発明が解決しようとする課題】
【０００８】
そこで本発明は、大量生産を可能とするとともに、具現化の対象である人物やキャラクターを容易に変更することができるようにした人形の頭部及びそれを備えた人形、並びに人形の製造方法を提供することを目的とする。
【課題を解決するための手段】
【０００９】
上記目的を達成するため本発明にかかる人形の頭部及びそれを備えた人形では、具現化すべき対象に関する少なくとも顔面及び頭髪に相当する固有の外形形状を備えた人形の頭部が、内方部分を構成して前記固有の外形形状とは無関係な共通形状を有する頭芯体と、前記顔面に対応した固有の外形形状を有して前記頭芯体の前面側を覆うように取り付けられた顔面体と、前記頭髪に対応した固有の外形形状を有して前記頭芯体の上面側を覆うように取り付けられた頭髪体とを備えた構成を有している。
【００１０】
また、本発明にかかる人形の製造方法では、固有の外形形状を備えるように胴部の上部に頭部を取り付けるようにした人形の製造方法において、前記頭部の内方部分を構成して前記固有の外形状とは無関係な共通形状を有する頭芯体を予め準備しておき、人形の顔面及び頭髪にそれぞれ対応した固有の外形形状を有する顔面体及び頭髪体を、前記頭芯体の前面側及び上面側の各々を覆うように取り付けるようにしている。
【００１１】
このような構成を有する本発明によれば、作製される人形の具現化対象である人物やキャラクターの外形形状とは無関係な共通形状を有する頭芯体に対して、具現化対象となっている人物やキャラクターに対応した固有の外形形状を有する顔面体及び頭髪体をそれぞれ取り付けることによって固有の人物やキャラクターを具現化した頭部が完成されることとなる。そのため、人形が具現化の対象とする人物やキャラクターにかかわらず、ほとんどの人物やキャラクターに対して頭芯体が共通に使用されることとなり、人形の頭部のうちの大きな領域を形成する頭芯体の大量生産が可能となって生産性の向上が図られるようになっている。
【００１２】
また、このような構成を有する本発明によれば、頭芯体に対して異なる外形形状の顔面体及び頭髪体を適宜に選択して取り付け又は交換することによって、異なる人物やキャラクターを具現化した人形が容易に製造されるようになっている。
【００１３】
このとき本発明における前記頭芯体は、複数の分割片が接合されることにより構成されることが可能となる。
【００１４】
このような構成を有する本発明によれば、頭部を構成している複数の分割片によって、例えば胴部側に設けられた首部を挟み込むように組み立てるようにすれば、胴部に対する頭部の装着が容易に行われる。
【００１５】
また、本発明においては、前記顔面体及び頭髪体の少なくとも一方が、前記頭芯体に対して着脱自在となるように構成されることが可能である。
【００１６】
このような構成とすれば、人形が具現化の対象とする人物やキャラクターにかからわず同一の共通形状をなすように製造された頭芯体に対して、異なる外形形状の顔面体又は頭髪体を着脱することにより、それらの顔面体又は頭髪体を適宜に交換することとすれば、人形が具現化の対象とする人物やキャラクターの変更が極めて容易に行われるようになっている。
【発明の効果】
【００１７】
以上のように本発明は、人形が具現化の対象とする人物やキャラクターの外形状とは無関係な共通形状を有する頭芯体に対して、人形の顔面形状及び頭髪形状を有する顔面体及び頭髪体を取り付けることにより、固有の人物やキャラクターを具現化した頭部を完成する構成を採用したことによって、人形の頭部のうちの大きな領域を形成する頭芯体を、ほとんどの人物やキャラクターに対して共通使用が可能となるように構成したものであるから、頭芯体の大量生産が可能となるとともに、異なる人物やキャラクターを具現化した人形が容易に製造又は変更可能となり、種々の人物やキャラクターを具現化した人形を安価かつ容易に製造することができる。
【発明を実施するための最良の形態】
【００１８】
以下、本発明の実施形態を図面に基づいて詳細に説明する。
図１乃至図３に示された本発明の第１の実施形態にかかる人形１は、通常の人形と同様に、胴部２の上部から延出する首部２ａに対して頭部３が取り付けられた構造を備えているが、頭部３の構造については従来にはない新規な構成を有している。
【００１９】
すなわち、本実施形態にかかる頭部３は、複数（３体）の各部材３ａ，３ｂ，３ｃの接合体から構成されており、当該頭部３の内方部分における大きな領域を構成している頭芯体３ａに対して、薄肉状をなすように形成された顔面体３ｂ及び頭髪体３ｃがそれぞれ取り付けられている。
【００２０】
この頭部３を構成する各部の一つを構成している頭芯体３ａは、人形１が具現化しようとする人物やキャラクターの外形状とは無関係な形状（色彩を含む）を有しており、人形１が現す人物やキャラクターが異なる場合であっても、他の人物やキャラクターと共通する外形形状を有するように形成されている。
【００２１】
さらに、本実施形態における頭芯体３ａは、複数（２体）の分割片３ａ１，３ａ２が接合された構成になされている。これら２体の分割片３ａ１，３ａ２は、上述した胴部２に設けられた首部２ａを挟んで前後に分割されており、首部２ａに頭芯体３ａを取り付ける際に、それら２体の分割片３ａ１，３ａ２どうしにより上記首部２ａを前後方向から挟み込むようにして接合し、両者を接着又はピン嵌合（図示省略）により固定すれば、頭芯体３ａ自体の組立と同時に、当該頭芯体３ａが首部２ａに対して取り付けられるようになっている。
【００２２】
また、上述した首部２ａの先端部分（図示上端部分）には、大径状をなすように形成された突起係止部２ａ１が形成されており、その突起係止部２ａ１が前記頭芯体３ａ側に設けられた凹部内に嵌り込むことによって上記頭芯体３ａが首部２ａから脱落することなく胴部２に保持される構成になされている。
【００２３】
このようにして胴部２に取り付けられた頭芯体３ａは、上述したように人形１が具現化する人物やキャラクターとは無関係な共通形状を有する外形形状（色彩を含む）になされているが、この頭芯体３ａの外表面に沿うようにして取り付けられる顔面体３ｂ及び頭髪体３ｃは、人形１が具現化する人物やキャラクターに固有な目鼻や頭髪の形状及び色彩を有している。そして、これらの顔面体３ｂ及び頭髪体３ｃが頭芯体３ａに取り付けられることによって、頭部３の全体が完成されることとなる。
【００２４】
これらのうちの顔面体３ｂの内壁面側には、複数（２体）の突起ピン３ｂ１が設けられており、それらの各突起ピン３ｂ１が、上述した頭芯体３ａの前面側壁面に設けられた固定穴３ａ３内に挿通されて嵌合されることによって、当該顔面体３ｂが上記頭芯体３ａに対して固定されるようになっている。この顔面体３ｂを完全に固定する場合には、接着剤等を使用することも可能であるが、顔面体３ｂを取り替え可能な構成とする場合には、上述した突起ピン３ｂ１の固定力のみで顔面体３ｂを保持することとなる。
【００２５】
一方、上述した頭髪体３ｃは、上記頭芯体３ａの上面側壁面を覆う略ヘルメット形状をなす中空状の湾曲体から形成されており、当該頭髪体３ｃの内壁面と頭芯体３ａの外壁面との間の摩擦力によって上記頭芯体３ａに対して頭髪体３ｃが着脱可能に保持されるようになっている。
【００２６】
この頭髪体３ｃは、植毛のベース部材を構成するものであり、当該頭髪体３ｃの外表面には、人毛やアクリル繊維などを植え付け又は接着する植毛が、人形１の具現化すべき人物やキャラクターに対応した形状（色彩を含む）となるように施される。なお、後述する実施形態のように毛髪部分を含めた頭髪体３ｃの全体を樹脂成型品とすることも可能である。
【００２７】
このような構成を有する本実施形態によれば、作製される人形１の具現化対象である人物やキャラクターの外形形状とは無関係な共通形状を有する頭芯体３ａに対して、具現化対象となっている人物やキャラクターに対応した固有の外形形状を有する顔面体３ｂ及び頭髪体３ｃをそれぞれ取り付けることによって、固有の人物やキャラクターを具現化した頭部３が完成されることとなる。そのため、人形１が具現化の対象とする人物やキャラクターにかからわず、ほとんどの人物やキャラクターに対して頭芯体３ａが共通に使用されることとなり、人形１の頭部３のうちの大きな領域を形成する頭芯体３ａの大量生産が可能となって生産性が向上される。
【００２８】
また、このような構成を有する本実施形態によれば、頭芯体３ａに対して異なる外形形状の顔面体３ｂ及び頭髪体３ｃを適宜に選択して取り付け又は交換することにより、異なる人物やキャラクターを具現化した人形が容易に製造されるようになっている。
【００２９】
このとき、本実施形態における頭芯体３ａは、複数の分割片３ａ１，３ａ２が接合された構成になされており、その頭芯体３ａを構成している複数の分割片３ａ１，３ａ２の間に、例えば胴部２側に設けられた首部２ａが挟み込まれるように配置されることにより、胴部２に対して頭部３が容易に装着されることとなる。
【００３０】
さらに本実施形態では、顔面体３ｂ及び頭髪体３ｃが頭芯体３ａに対して着脱自在となるように構成することが可能であることから、同一の共通形状をなすように製造された頭芯体３ａに対して、異なる外形形状の顔面体３ｂ又は頭髪体３ｃが着脱されて交換されることによって、人形１が具現化の対象とする人物やキャラクターの変更が極めて容易に行われるようになっている。
【００３１】
一方、上述した第１の実施形態と同一の構成に対して同一の符号を付した図４に現された第２の実施形態においては、頭髪体１３ｃの全体が樹脂成型品により構成されている。本実施形態における頭髪体１３ｃは、前後方向（図示左右方向）に２分割された構成になされており、前髪部１３ｃ１に設けられた嵌合ピン１３ｃ２が、後髪部１３ｃ３に設けられた嵌合穴に挿通されることによって、一体的な頭髪体１３ｃが構成されている。このような第２の実施形態においても、上述した第１の実施形態と同様な作用・効果が奏せられる。
【００３２】
以上、本発明者によってなされた発明の実施形態を具体的に説明したが、本発明は上述した実施形態に限定されるものではなく、その要旨を逸脱しない範囲で種々変形可能であることはいうまでもない。
【００３３】
例えは上述した各実施形態では、胴部２に対して頭部３の頭芯体３ａを嵌め込むように組み立てる構造としているが、胴部２と頭部３の頭芯体３ａと一体的に形成する構造とすることも可能である。
【００３４】
また、上述した各実施形態においては、頭芯体３ａを分割構造としているが、一体構造とすることも当然に可能である。
【００３５】
さらに、頭芯体３ａに取り付けられた顔面体３ｂ及び頭髪体３ｃは、双方ともに着脱自在に構成しても良いが、これらのうちの少なくとも一方を着脱自在に構成することも可能である。
【産業上の利用可能性】
【００３６】
以上述べたように本発明は、多種多様な構造を有する人形に対して広く適用することが可能である。
【図面の簡単な説明】
【００３７】
【図１】本発明の第１の実施形態における人形における頭部の構造を表した分解斜視説明図である。
【図２】図１に表された人形の頭部構造を現した縦断面斜視説明図である。
【図３】図１に表された人形の頭部構造を現した分解側面説明図である。
【図４】本発明の第２の実施形態における人形の頭部の構造を表した縦断面説明図である。
【符号の説明】
【００３８】
１  人形
２  胴部
２ａ  首部
２ａ１  突起係止部
３  頭部
３ａ  頭芯体
３ａ１，３ａ２  分割片
３ａ３  固定穴
３ｂ  顔面体
３ｂ１  突起ピン
３ｃ  頭髪体
１３ｃ  頭髪体
１３ｃ１  前髪部
１３ｃ２  嵌合ピン
１３ｃ３  後髪部
【図１】
2009011458.tif 000003
【図２】
2009011458.tif 000004
【図３】
2009011458.tif 000005
【図４】
2009011458.tif 000006